(57)【特許請求の範囲】
【請求項１】
マルチ・キャリア・ワイヤレス通信システムにおいて基地局によってサポートされている複数のユーザ装置の内部からユーザ装置のグループのおのおのによって行われるべき無線インターフェース共通再構成を要求する方法であって、
ユーザ装置の前記グループのおのおのによって行われるべき前記無線インターフェース共通再構成を決定するステップと、
高速共用制御チャネル（ＨＳ−ＳＣＣＨ）命令のペイロード・フィールドの中の前記無線インターフェース共通再構成を符号化するステップと、
前記ＨＳ−ＳＣＣＨ命令において、ユーザ装置の前記グループに前記ＨＳ−ＳＣＣＨ命令を関連づける表示を符号化するステップと、
前記基地局によってサポートされている前記複数のユーザ装置に対して前記ＨＳ−ＳＣＣＨ命令を送信するステップと
を備える方法。
【請求項２】
ユーザ装置の前記グループは、セル専用チャネル（セル＿ＤＣＨ）状態にあり、また前記無線インターフェース共通再構成は、少なくとも１つのキャリアをアクティブにすること、少なくとも１つのキャリアを非アクティブにすること、一次キャリアを変更すること、サービスするセルについて変更すること、正常な送信と不連続な送信との間の変更、および正常な受信と不連続な受信との間の変更のうちの少なくとも１つを備える、請求項１に記載の方法。
【請求項３】
前記表示を符号化する前記ステップは、
前記ＨＳ−ＳＣＣＨ命令の少なくとも１つのフィールドと、ユーザ装置の前記グループに共通な識別子とから導き出されている修正された巡回冗長検査フィールドを前記ＨＳ−ＳＣＣＨ命令に追加するステップ
を備える、請求項１または２に記載の方法。
【請求項４】
前記表示を符号化する前記ステップは、
ユーザ装置の前記グループに共通な識別子を符号化する修正されたヘッダ・フィールドを前記ＨＳ−ＳＣＣＨ命令に追加するステップ
を備える、請求項１乃至３のいずれか１項に記載の方法。
【請求項５】
前記表示を符号化する前記ステップは、
前記ＨＳ−ＳＣＣＨ命令が、ユーザ装置のグループのために用いられる予定であることを示すインジケータを符号化する修正されたヘッダ・フィールドを前記ＨＳ−ＳＣＣＨ命令に追加するステップ
を備える、請求項１乃至４のいずれか１項に記載の方法。
【請求項６】
前記表示を符号化する前記ステップは、
ユーザ装置の前記グループに共通な識別子を表すグループ・インジケータを符号化する修正されたヘッダ・フィールドを前記ＨＳ−ＳＣＣＨ命令に追加するステップ
を備える、請求項１乃至５のいずれか１項に記載の方法。
【請求項７】
前記無線インターフェース共通再構成を要求している、前記基地局によってサポートされているユーザ装置の数量を決定するステップと、複数の前記ＨＳ−ＳＣＣＨ命令を符号化するステップおよび送信するステップとを備え、前記複数の前記ＨＳ−ＳＣＣＨ命令のおのおのは、あらかじめ決定された最大値よりも小さいサイズを有する、ユーザ装置の関連するグループによって受信可能である、請求項１乃至６のいずれか１項に記載の方法。
【請求項８】
送信する前記ステップは、
最低の信号受信レベルを有する、前記グループの内部のそのユーザ装置のために設定されるパワー・レベルで前記ＨＳ−ＳＣＣＨ命令を送信するステップと、複数のキャリアの上で前記ＨＳ−ＳＣＣＨ命令を送信するステップとのうちの少なくとも一方
を備える、請求項１乃至７のいずれか１項に記載の方法。
【請求項９】
ユーザ装置の前記グループのおのおのからの肯定応答メッセージを監視するステップと、
前記ＨＳ−ＳＣＣＨ命令を再送信するステップ、および複数のＨＳ−ＳＣＣＨ命令を送信するステップのうちの少なくとも一方とを備え、前記複数のＨＳ−ＳＣＣＨ命令のおのおのは、肯定応答メッセージを送信することに失敗したユーザ装置の前記グループのうちの１つのために符号化されている、請求項１乃至８のいずれか１項に記載の方法。
【請求項１０】
基地局によってサポートされている複数のユーザ装置の内部から、ユーザ装置のグループのおのおのによって行われるべき無線インターフェース共通再構成を要求するように動作可能な基地局であって、
ユーザ装置の前記グループのおのおのによって行われるべき前記無線インターフェース共通再構成を決定するように動作可能な決定ロジックと、
ＨＳ−ＳＣＣＨ命令のペイロード・フィールドの中の前記無線インターフェース共通再構成を符号化するように、また前記ＨＳ−ＳＣＣＨ命令において、ユーザ装置の前記グループに前記ＨＳ−ＳＣＣＨ命令を関連づける表示を符号化するように動作可能な符号化ロジックと、
前記基地局によってサポートされている前記複数のユーザ装置に対して前記ＨＳ−ＳＣＣＨ命令を送信するように動作可能な送信ロジックと
を備える基地局。
【請求項１１】
サポートする基地局からの要求に応じてユーザ装置において無線インターフェース共通再構成を実行する方法であって、
前記基地局からＨＳ−ＳＣＣＨ命令を受信するステップと、
ユーザ装置のグループに前記ＨＳ−ＳＣＣＨ命令を関連づける、前記ＨＳ−ＳＣＣＨ命令の中の表示を復号するステップと、
前記表示が、前記ユーザ装置が関連づけられるグループとマッチするかどうかを決定するステップと、
マッチが起こる場合に、前記ＨＳ−ＳＣＣＨ命令の中の前記無線インターフェース共通再構成を復号するステップ、および前記無線インターフェース共通再構成を実行するステップと
を備える方法。
【請求項１２】
復号し、決定する前記ステップは、前記ＨＳ−ＳＣＣＨ命令から巡回冗長検査フィールドを抽出するステップと、ユーザ装置の前記グループに共通な識別子を使用して巡回冗長検査を実行するステップとを備える、請求項１１に記載の方法。
【請求項１３】
復号し、決定する前記ステップは、前記ＨＳ−ＳＣＣＨ命令が関連づけられる、ユーザ装置のグループを示す、前記ＨＳ−ＳＣＣＨ命令のヘッダ・フィールドの中の前記表示を識別するステップを備える、請求項１１または１２に記載の方法。
【請求項１４】
復号し、決定する前記ステップは、前記ＨＳ−ＳＣＣＨ命令が、ユーザ装置のグループに関連づけられることを示す、前記ＨＳ−ＳＣＣＨ命令のヘッダ・フィールドの中のインジケータを識別するステップと、前記ＨＳ−ＳＣＣＨ命令から巡回冗長検査フィールドを抽出するステップと、ユーザ装置の前記グループに共通な識別子を使用して巡回冗長検査を実行するステップとを備える、請求項１１乃至１３のいずれか１項に記載の方法。
【請求項１５】
サポートする基地局からの要求に応じて無線インターフェース共通再構成を実行するように動作可能なユーザ装置であって、
前記基地局からＨＳ−ＳＣＣＨ命令を受信するように動作可能な受信ロジックと、
ユーザ装置のグループに前記ＨＳ−ＳＣＣＨ命令を関連づける、前記ＨＳ−ＳＣＣＨ命令の中の表示を復号するように動作可能な復号ロジックと、
前記表示が、前記ユーザ装置が関連づけられるグループにマッチするかどうかを決定するように動作可能な決定ロジックと、
マッチが行われることを示す前記決定ロジックからの表示に応じて、前記ＨＳ−ＳＣＣＨ命令の中の前記無線インターフェース共通再構成を復号するように、また前記無線インターフェース共通再構成を実行するように動作可能な再構成ロジックと
を備えるユーザ装置。
【発明の詳細な説明】
【技術分野】
【０００１】
本発明は、無線インターフェース共通再構成（ｒａｄｉｏ  ｉｎｔｅｒｆａｃｅ  ｃｏｍｍｏｎ  ｒｅｃｏｎｆｉｇｕｒａｔｉｏｎ）を要求する方法と、基地局と、無線インターフェース共通再構成を実行する方法と、ユーザ装置と、コンピュータ・プログラム・プロダクト（ｃｏｍｐｕｔｅｒ  ｐｒｏｇｒａｍ  ｐｒｏｄｕｃｔ）とに関する。
【背景技術】
【０００２】
単一キャリア・ワイヤレス電気通信システムが、知られている。これらの知られているシステムにおいては、無線カバレッジは、地理的エリアにより、ユーザ装置、例えばモバイル電話に対して提供される。基地局は、各地理的エリアの中に位置していて、要求された無線カバレッジを提供する。基地局によってサービスされるエリアの中のユーザ装置は、基地局から情報およびデータを受信し、また基地局に対して情報およびデータを送信する。高速ダウンリンク・パケット・アクセス（Ｈｉｇｈ−Ｓｐｅｅｄ  Ｄｏｗｎｌｉｎｋ  Ｐａｃｋｅｔ  Ａｃｃｅｓｓ）（ＨＳＤＰＡ）電気通信ネットワークにおいては、データおよび情報は、無線周波数キャリアの上でデータ・パケットの形で、ユーザ装置と、基地局との間で送信される。
【０００３】
基地局によりユーザ装置に対して送信される情報およびデータは、ダウンリンク・キャリアとして知られている無線周波数キャリアの上で発生する。ユーザ装置により基地局に対して送信される情報およびデータは、アップリンク・キャリアとして知られている無線周波数キャリアの上で発生する。
【０００４】
単一キャリア・モードで動作する、知られているワイヤレス電気通信システムにおいては、ユーザ装置は、複数の地理的基地局のカバレッジ・エリアの間で移動することができる。ユーザ装置に対して提供されるサービスは、無線ネットワーク制御装置（Ｒａｄｉｏ  Ｎｅｔｗｏｒｋ  Ｃｏｎｔｒｏｌｌｅｒ）（ＲＮＣ）によって監視される。ＲＮＣは、ユーザ装置および基地局と通信し、また各ユーザ装置がどの基地局に主として接続されるかを決定する。さらに、ユーザ装置が、１つの基地局によってサービスされる地理的エリアから別の基地局によってサービスされる地理的エリアへと移動するときに、ＲＮＣは、基地局およびユーザ装置を制御し、またそれらと通信するように振る舞う。
【０００５】
基地局およびユーザ装置が、おのおの、複数のキャリアの上で同時に送信することを可能にすることが、提案されてきている。さらに、ユーザ装置および基地局が、複数のキャリアの上で同時に受信することを可能にすることが、提案されてきている。各キャリアは、アップリンクとダウンリンクとの両方ともに、一般的に、基地局によって独立してパワー制御される。例えば、４つの周波数キャリアの上の、複数のダウンリンク・キャリアの提供は、ユーザ装置に対するデータ・スループットの増大を可能にする。２つよりも多いキャリアを有するネットワークは、「マルチ・セル高速ダウンリンク・パケット・アクセス」（ＭＣ−ＨＳＤＰＡ）ネットワークと称されることが可能である。本明細書において使用される「マルチ・キャリア」ネットワークという用語は、２つ（例えば、デュアル・セルＨＳＤＰＡおよびデュアル・セルＨＳＵＰＡ）、３つ、４つまたはそれより多いダウンリンク（またはアップリンク）キャリアが、ネットワークにおいて提供される場合を対象とすることが想定される。
【発明の概要】
【発明が解決しようとする課題】
【０００６】
マルチ・キャリア機能の提供は、関連する問題を有する可能性がある。したがって、マルチ・キャリア機能を有するワイヤレス電気通信ネットワークのオペレーションを改善することが、望ましい。
【課題を解決するための手段】
【０００７】
第１の態様によれば、マルチ・キャリア・ワイヤレス通信システムにおいて基地局によってサポートされている複数のユーザ装置の内部からユーザ装置のグループのおのおのによって行われるべき無線インターフェース共通再構成を要求する一方法が、提供されており、本方法は、ユーザ装置のグループのおのおのによって行われるべき無線インターフェース共通再構成を決定するステップと、高速共用制御チャネル（ｈｉｇｈ  ｓｐｅｅｄ  ｓｈａｒｅｄ  ｃｏｎｔｒｏｌ  ｃｈａｎｎｅｌ）（ＨＳ−ＳＣＣＨ）命令のペイロード・フィールドの中の無線インターフェース共通再構成を符号化するステップと、ＨＳ−ＳＣＣＨ命令において、ユーザ装置のグループにＨＳ−ＳＣＣＨ命令を関連づける表示を符号化するステップと、基地局によってサポートされている複数のユーザ装置に対してＨＳ−ＳＣＣＨ命令を送信するステップとを備える。
【０００８】
第１の態様は、既存のマルチ・キャリア機能に伴う１つの問題が、ユーザ装置と、基地局との間の無線インターフェースを再構成して、例えば、エネルギーを節約し、干渉を低減させることが必要なはずであることであり、あるいは他の理由から、これは、次には、それらが、それらの無線インターフェースを再構成することを要求するメッセージをユーザ装置のおのおのに対して送信することにより行われるにすぎない可能性があることを認識するものである。そのようなメッセージを各ユーザ装置に対して送信することが、次には、時間がかかり、またリソースを消費するようになることが、理解されるであろう。これは、そのような再構成が提供することができるどのような利益を利用する機会も結果として低減させることになる可能性がある。
【０００９】
したがって、基地局によってサポートされているユーザ装置のグループに共通な必要とされる無線インターフェース再構成についての決定が行われることが可能である。ユーザ装置のグループは、基地局によってサポートされているすべてのユーザ装置のサブセットとすることができる。再構成は、そのグループの中のすべてのユーザ装置によって実行されるべき同じ再構成とすることができる。次いで、再構成の詳細は、例えば、ペイロード・フィールドの中のＨＳ−ＳＣＣＨ命令の中で符号化されることが可能である。したがって、ペイロード・フィールドは、グループの内部の各ユーザ装置によって実装されることが必要とされる無線インターフェース再構成の表示を提供することができる。適切な任意の符号化技法を利用して、ユーザ装置のグループによって実行されるべき再構成を符号化することができることが理解されるであろう。表示はまた、ユーザ装置のあらかじめ決定されたグループにその命令を関連づけるＨＳ−ＳＣＣＨ命令の中で符号化されることも可能である。この表示は、個別のユーザ装置のために用いられる予定である既存のＨＳ−ＳＣＣＨ命令から、ユーザ装置のグループのために用いられる予定であるＨＳ−ＳＣＣＨ命令を差別化する助けをすることが理解されるであろう。表示はまた、ＨＳ−ＳＣＣＨ命令が、ユーザ装置の複数のグループのうちのどれのために用いられる予定であるかを示すこともできる。そのときには、ＨＳ−ＳＣＣＨ命令は、基地局によってサポートされている複数のユーザ装置に対して送信されることが可能である。
【００１０】
それゆえに、単一のＨＳ−ＳＣＣＨ命令が、ユーザ装置のグループに対して送信され得ることが分かる。これは、これらのユーザ装置のおのおのに対して個別のメッセージを送信する必要性を回避させる。ＨＳ−ＳＣＣＨ命令は、メッセージが、ユーザ装置のどのグループのために用いられる予定であるかを識別することができ、このようにしてそのグループの内部にないユーザ装置が、メッセージを無視することを可能にしている。しかしながら、グループの内部のこれらのユーザ装置は、次いで、その後にそのグループの内部のすべてのユーザ装置を通して共通に実装されることになる要求された無線インターフェースの変更を実行することができる。すなわち、グループの内部のあらゆるユーザ装置は、要求された変更を実装することになる。それゆえに、単一のメッセージが、ユーザ装置のグループに対して送信されて、ユーザ装置のそのグループが、再構成を実行するためにかかる時間を短縮させ、また再構成を実行するために利用されるリソースの量を最小限にする、それらの無線インターフェースの共通再構成を行うようにさせることができる。
【００１１】
一実施形態においては、ユーザ装置のグループは、セル専用チャネル（セル＿ＤＣＨ（Ｃｅｌｌ＿ＤＣＨ））状態にあり、無線インターフェース共通再構成は、少なくとも１つのキャリアをアクティブにすること、少なくとも１つのキャリアを非アクティブにすること、一次キャリアを変更すること、サービスするセルについて変更すること、正常な送信と不連続な送信との間の変更、および正常な受信と不連続な受信との間の変更のうちの少なくとも１つを備える。したがって、ユーザ装置は、高いスループットが、必要とされ、またその高いスループットをサポートする無線インターフェースに対する急激な変化が、必要とされることも可能であるセル＿ＤＣＨ状態において動作していることができる。セル＿ＤＣＨ状態にあるユーザ装置のグループでは、キャリアをアクティブにすることまたは非アクティブにすること、一次キャリアを変更すること、サービスするセルを変更すること、不連続な送信または受信へと、またはそれから切り替えること、または無線インターフェースの他の再構成を実行することを可能とすることができる。このようにして、ユーザ装置の大きなグループの態様を非常に急速に非アクティブにすること、またはアクティブにすることが可能であることが分かる。例えば、基地局は、干渉制御またはエネルギー節約の目的のためにユーザ装置のグループ、またはすべてのグループについての特定の二次キャリアを非アクティブにすることができる。エネルギー節約の場合には、基地局は、低トラフィックの結果として、そのキャリアのうちの１つをオフにすることを、またそれゆえにユーザ装置のグループ、またはすべてのグループについての二次キャリアを非アクティブにすることを望む可能性がある。
【００１２】
一実施形態においては、表示を符号化するステップは、ＨＳ−ＳＣＣＨ命令の少なくとも１つのフィールドと、ユーザ装置のグループに共通な識別子とから導き出される修正された巡回冗長検査フィールドをＨＳ−ＳＣＣＨ命令に追加するステップを備える。それに応じて、修正された巡回冗長検査フィールドは、ＨＳ−ＳＣＣＨ命令に追加されることが可能である。この修正された巡回冗長検査フィールドは、グループの内部のすべてのユーザ装置に共通な識別子を使用して計算されることが可能である。実施形態においては、そのような共通の識別子は、基地局によってユーザ装置にあらかじめ割り付けられる二次的な高速ダウンリンク共用チャネル無線ネットワーク・トランザクション識別子（Ｈｉｇｈ−ｓｐｅｅｄ  ｄｏｗｎｌｉｎｋ  ｓｈａｒｅｄ  ｃｈａｎｎｅｌ  Ｒａｄｉｏ  Ｎｅｔｗｏｒｋ  Ｔｒａｎｓａｃｔｉｏｎ  Ｉｄｅｎｔｉｆｉｅｒ）（Ｈ−ＲＮＴＩ）とすることができる。そのような事前割付けは、他の目的のために基地局によって実行されることが可能であり、またはこの特定の目的のためにユーザ装置に対して信号で伝えられることが可能である。そのような二次的なＨ−ＲＮＴＩのうちの特定の信号方式は、これらの共通の識別子を割り当てる際に、基地局により多くの制御を提供することが、理解されるであろう。したがって、特定のグループの内部のユーザ装置に共通な識別子を用いて巡回冗長検査フィールドを修正することにより、その識別子を所有するそのグループの内部のこれらのユーザ装置だけが、有効な巡回冗長検査を実行し、またそのようにして、要求された再構成を実装することができるようになることが、分かる。一般的に、各ユーザ装置は、最初にその固有の識別子を使用して巡回冗長検査を実行しようと試みることもあり、またそれが失敗する場合には、その共通の識別子を使用して巡回冗長検査を実行しようと試みることもある。他のグループに属するすべてのユーザ装置は、メッセージが、そのユーザ装置のために用いられる予定ではないことを仮定することになるか、またはメッセージが、破損していることを仮定することになるかのいずれかである。いずれの場合においても、すべての他のユーザ装置は、要求された再構成を実装しないことになる。
【００１３】
一実施形態においては、表示を符号化するステップは、ユーザ装置のグループに共通な識別子を符号化する修正されたヘッダ・フィールドをＨＳ−ＳＣＣＨ命令に追加するステップを備える。それに応じて、ＨＳ−ＳＣＣＨ命令のヘッダ・フィールドは、ユーザ装置のグループに共通な識別子を符号化するように修正されることが可能である。言い換えれば、修正されたヘッダは、命令が、ユーザ装置のグループのために用いられる予定であるマルチ・キャスト命令であることを示すことができる。次いで、ユーザ装置は、次には、そのようなマルチ・キャスト命令に修正された処理を適用して、メッセージがそのユーザ装置のために用いられる予定であるかどうかを決定することができる。それゆえに、ユーザ装置が、修正されたヘッダを有するＨＳ−ＳＣＣＨ命令を受信するときには、ヘッダによって示される二次的なＨ−ＲＮＴＩを有するこれらのユーザ装置だけが、メッセージを復号しようと試みることになる。すべての他のユーザ装置は、メッセージを無視することになる。ヘッダは、Ｈ−ＲＮＴＩそれ自体を符号化することができ、または、一般的により少ないビット数で、ユーザ装置が属しているグループのグループ識別子を示すインジケータを符号化することができることが、理解されるであろう。基地局とユーザ装置との両方が、二次的なＨ−ＲＮＴＩからグループ識別子を導き出すように動作可能になることが、理解されるであろう。
【００１４】
一実施形態においては、表示を符号化するステップは、ＨＳ−ＳＣＣＨ命令が、ユーザ装置のグループのために用いられる予定であることを示すインジケータを符号化する修正されたヘッダ・フィールドをＨＳ−ＳＣＣＨ命令に追加するステップを備える。それに応じて、修正されたヘッダは、ＨＳ−ＳＣＣＨ命令が、ユーザ装置のグループのために用いられる予定である修正された命令であることを示すことができる。
【００１５】
一実施形態においては、表示を符号化するステップは、ユーザ装置のグループに共通な識別子を表すグループ・インジケータを符号化する修正されたヘッダ・フィールドをＨＳ−ＳＣＣＨ命令に追加するステップを備える。
【００１６】
一実施形態においては、本方法は、無線インターフェース共通再構成を必要とする、基地局によってサポートされているユーザ装置の数量を決定するステップと、複数のＨＳ−ＳＣＣＨ命令のおのおのが、あらかじめ決定された最大値よりも小さいサイズを有するユーザ装置の関連するグループによって受信可能である、複数のＨＳ−ＳＣＣＨ命令を符号化するステップおよび送信するステップとを備える。ユーザ装置のグループに対してＨＳ−ＳＣＣＨ命令を送信するステップに伴う問題は、これらのユーザ装置のおのおのが、共通再構成が行われたことを示す肯定応答を用いて応答することになり、またこれらの肯定応答メッセージが、基地局を圧倒する可能性があることである。どの時点においても送信されているそのような肯定応答の数を低減させるために、いくつかのＨＳ−ＳＣＣＨ命令が、適切なサイズのグループに対して送信される。それに応じて、再構成が行われる必要があるユーザ装置の数が、決定される。再構成されるべきユーザ装置の数が、あらかじめ決定されたしきい値よりも大きい場合、そのときにはいくつかのＨＳ−ＳＣＣＨ命令が、符号化され、また送信されることが可能であり、それらの命令のおのおのは、しきい値よりも小さいいくつかのユーザ装置の数に影響を及ぼす。このようにして、受信される肯定応答メッセージの数は、ネットワークと基地局との上の負荷を低減させるために、あらかじめ決定された数量よりも少なく制限されることが可能である。
【００１７】
一実施形態においては、送信するステップは、複数のＨＳ−ＳＣＣＨ命令のうちの少なくとも別の命令とは異なる時点において、複数のＨＳ−ＳＣＣＨ命令のうちの少なくとも１つを送信するステップを備える。それゆえに、異なる時点において複数のＨＳ−ＳＣＣＨ命令を送信することにより、肯定応答メッセージは、同様に、もっと分散されたものになり、このようにしてネットワークと基地局との上のピーク負荷を低減させている。
【００１８】
一実施形態においては、送信するステップは、最低の信号受信レベルを有するグループの内部のそのユーザ装置のために設定されるパワー・レベルでＨＳ−ＳＣＣＨ命令を送信するステップと、複数のキャリアの上でＨＳ−ＳＣＣＨ命令を送信するステップとのうちの少なくとも一方を備える。それに応じて、最大の程度の信号減衰を有するユーザ装置のために設定されるパワー・レベルでＨＳ−ＳＣＣＨ命令を送信することにより、ＨＳ−ＳＣＣＨ命令が、そのユーザ装置によって、またグループの内部のすべての他のユーザ装置によって受信されることが、保証されることが可能である。同様に、それらのキャリアのおのおのの上でＨＳ−ＳＣＣＨ命令を送信することにより、命令が、各ユーザ装置によって受信される可能性が、増大される。また、実施形態においては、異なるキャリアの上で送信される命令は、ユーザ装置によってソフト結合される（ｓｏｆｔ  ｃｏｍｂｉｎｅｄ）ことも可能である。
【００１９】
一実施形態においては、本方法は、ユーザ装置のグループのおのおのからの肯定応答メッセージを監視するステップと、各ＨＳ−ＳＣＣＨ命令が、肯定応答メッセージを送信することに失敗したユーザ装置のグループのうちの１つのために符号化されている、ＨＳ−ＳＣＣＨ命令を再送信するステップと、少なくとも１つのＨＳ−ＳＣＣＨ命令を送信するステップとのうちの少なくとも一方とを備える。それに応じて、基地局は、要求された再構成が受信されていることを示す、各ユーザ装置から受信される肯定応答メッセージを監視することができる。あらかじめ決定された期間の後に、基地局は、次いで、ユーザ装置のグループに対してＨＳ−ＳＣＣＨ命令を再送信すべきか、または以前のＨＳ−ＳＣＣＨ命令に肯定応答することに失敗しているこれらのユーザ装置に対して個別のメッセージを送信すべきかを決定することができる。
【００２０】
第２の態様によれば、基地局によってサポートされている複数のユーザ装置の内部からユーザ装置のグループのおのおのによって行われるべき無線インターフェース共通再構成を要求するように動作可能な基地局が提供されており、本基地局は、ユーザ装置のグループのおのおのによって行われるべき無線インターフェース共通再構成を決定するように動作可能な決定ロジックと、ＨＳ−ＳＣＣＨ命令のペイロード・フィールドの中の無線インターフェース共通再構成を符号化するように、またＨＳ−ＳＣＣＨ命令において、ユーザ装置のグループにＨＳ−ＳＣＣＨ命令を関連づける表示を符号化するように動作可能な符号化ロジックと、基地局によってサポートされている複数のユーザ装置に対してＨＳ−ＳＣＣＨ命令を送信するように動作可能な送信ロジックとを備える。
【００２１】
一実施形態においては、ユーザ装置のグループは、セル専用チャネル（セル＿ＤＣＨ）状態にあり、また無線インターフェース共通再構成は、少なくとも１つのキャリアをアクティブにすること、少なくとも１つのキャリアを非アクティブにすること、一次キャリアを変更すること、サービスするセルについて変更すること、正常な送信と不連続な送信との間の変更、および正常な受信と不連続な受信との間の変更のうちの少なくとも１つを備える。
【００２２】
一実施形態においては、符号化ロジックは、ＨＳ−ＳＣＣＨ命令の少なくとも１つのフィールドと、ユーザ装置のグループに共通な識別子とから導き出されている修正された巡回冗長検査フィールドをＨＳ−ＳＣＣＨ命令に追加するように動作可能である。
【００２３】
一実施形態においては、符号化ロジックは、ユーザ装置のグループに共通な識別子を符号化する修正されたヘッダ・フィールドをＨＳ−ＳＣＣＨ命令に追加するように動作可能である。
【００２４】
一実施形態においては、符号化ロジックは、ＨＳ−ＳＣＣＨ命令が、ユーザ装置のグループのために用いられる予定であることを示すインジケータを符号化する修正されたヘッダ・フィールドをＨＳ−ＳＣＣＨ命令に追加するように動作可能である。
【００２５】
一実施形態においては、符号化ロジックは、ユーザ装置のグループに共通な識別子を表すグループ識別子を符号化する修正されたヘッダ・フィールドをＨＳ−ＳＣＣＨ命令に追加するように動作可能である。
【００２６】
一実施形態においては、決定ロジックは、無線インターフェース共通再構成を必要とする基地局によってサポートされているユーザ装置の数量を決定するように動作可能であり、また符号化ロジックと送信ロジックとは、複数のＨＳ−ＳＣＣＨ命令のおのおのが、あらかじめ決定された最大値よりも小さいサイズを有するユーザ装置の関連するグループによって受信可能である、複数のＨＳ−ＳＣＣＨ命令を符号化するように、および送信するように動作可能である。
【００２７】
一実施形態においては、送信ロジックは、最低の信号受信レベルを有するグループの内部のそのユーザ装置のために設定されるパワー・レベルでＨＳ−ＳＣＣＨ命令を送信するステップと、複数のキャリアの上でＨＳ−ＳＣＣＨ命令を送信するステップとのうちの少なくとも一方を実行するように動作可能である。
【００２８】
一実施形態においては、送信ロジックは、複数のＨＳ−ＳＣＣＨ命令のうちの少なくとも別の命令とは異なる時点において、複数のＨＳ−ＳＣＣＨ命令のうちの少なくとも１つを送信するように動作可能である。
【００２９】
一実施形態においては、基地局は、ユーザ装置のグループのおのおのからの肯定応答メッセージを監視するように動作可能な監視ロジックを備えており、また符号化ロジックと送信ロジックとは、複数のＨＳ−ＳＣＣＨ命令のおのおのが、肯定応答メッセージを送信することに失敗したユーザ装置のグループのうちの１つのために符号化されている、ＨＳ−ＳＣＣＨ命令を再送信するステップと、複数のＨＳ−ＳＣＣＨ命令を送信するステップとのうちの少なくとも一方を実行するように動作可能である。
【００３０】
第３の態様によれば、サポートする基地局からの要求に応じてユーザ装置において無線インターフェース共通再構成を実行する一方法が、提供されており、本方法は、基地局からＨＳ−ＳＣＣＨ命令を受信するステップと、ユーザ装置のグループにＨＳ−ＳＣＣＨ命令を関連づける、ＨＳ−ＳＣＣＨ命令の中の表示を復号するステップと、その表示が、ユーザ装置が関連づけられるグループとマッチするかどうかを決定するステップと、マッチが起こる場合に、ＨＳ−ＳＣＣＨ命令の中の無線インターフェース共通再構成を復号するステップ、および無線インターフェース共通再構成を実行するステップとを備えている。
【００３１】
一実施形態においては、ユーザ装置は、セル専用チャネル（セル＿ＤＣＨ）状態にあり、無線インターフェース共通再構成は、少なくとも１つのキャリアをアクティブにすること、少なくとも１つのキャリアを非アクティブにすること、一次キャリアを変更すること、サービスするセルについて変更すること、正常な送信と不連続な送信との間の変更、および正常な受信と不連続な受信との間の変更のうちの少なくとも１つを備える。
【００３２】
一実施形態においては、復号し、また決定するステップは、ＨＳ−ＳＣＣＨ命令から巡回冗長検査フィールドを抽出するステップと、ユーザ装置のグループに共通な識別子を使用して巡回冗長検査を実行するステップとを備える。それに応じて、その固有のＨ−ＲＮＴＩを使用してユーザ装置によって実行される受信されたＨＳ−ＳＣＣＨ命令の上の正常な巡回冗長検査が、失敗する場合、そのときにはユーザ装置は、共通の識別子を使用して巡回冗長検査を実行することができる。共通の識別子を使用した巡回冗長検査が、その場合に肯定的であることが分かる場合、そのときには、ユーザ装置は、要求された再構成を実装することができる。
【００３３】
一実施形態においては、復号し、また決定するステップは、ＨＳ−ＳＣＣＨ命令が関連づけられる、ユーザ装置のグループを示す、ＨＳ−ＳＣＣＨ命令のヘッダ・フィールドの中の表示を識別するステップを備える。それゆえに、ＨＳ−ＳＣＣＨ命令が、ユーザ装置のグループに関連づけられるという決定は、ヘッダ・フィールドから直接に決定されることが可能である。
【００３４】
一実施形態においては、復号し、また決定するステップは、ＨＳ−ＳＣＣＨ命令が、ユーザ装置のグループに関連づけられることを示す、ＨＳ−ＳＣＣＨ命令のヘッダ・フィールドの中のインジケータを識別するステップと、ＨＳ−ＳＣＣＨ命令から巡回冗長検査フィールドを抽出するステップと、ユーザ装置のグループに共通な識別子を使用して巡回冗長検査を実行するステップとを備える。それに応じて、ユーザ装置が、ヘッダ・フィールドから、ＨＳ−ＳＣＣＨ命令が、ユーザ装置のグループのために用いられる予定であることを決定する場合、そのときにはユーザ装置は、共通の識別子を使用して巡回冗長検査を最初に実行することができ、それによってその固有のＨ−ＲＮＴＩを使用して第１の巡回冗長検査を実行する必要性を取り除く。
【００３５】
一実施形態においては、本方法は、ランダムなオフセットと、固定されたオフセットと、固有の識別子から導き出されるオフセットとのうちの少なくとも１つに依存した時間オフセットにおいて肯定応答を基地局に対して送信するステップを備える。このようにして、ユーザ装置からの肯定応答メッセージは、時間と共に分散されて、それによって基地局の上の過負荷を防止することができる。
【００３６】
第４の態様によれば、サポートする基地局からの要求に応じて無線インターフェース共通再構成を実行するように動作可能なユーザ装置が、提供されており、ユーザ装置は、基地局からＨＳ−ＳＣＣＨ命令を受信するように動作可能な受信ロジックと、ユーザ装置のグループにＨＳ−ＳＣＣＨ命令を関連づける、ＨＳ−ＳＣＣＨ命令の中の表示を復号するように動作可能な復号ロジックと、表示が、ユーザ装置が関連づけられるグループにマッチするかどうかを決定するように動作可能な決定ロジックと、マッチが行われることを示す決定ロジックからの表示に応じて、ＨＳ−ＳＣＣＨ命令の中の無線インターフェース共通再構成を復号するように、また無線インターフェース共通再構成を実行するように動作可能な再構成ロジックとを備える。
【００３７】
一実施形態においては、ユーザ装置は、セル専用チャネル（セル＿ＤＣＨ）状態にあり、また無線インターフェース共通再構成は、少なくとも１つのキャリアをアクティブにすること、少なくとも１つのキャリアを非アクティブにすること、一次キャリアを変更すること、サービスするセルについて変更すること、正常な送信と不連続な送信との間の変更、および正常な受信と不連続な受信との間の変更のうちの少なくとも１つを備える。
【００３８】
一実施形態においては、復号ロジックと決定ロジックとは、ＨＳ−ＳＣＣＨ命令から巡回冗長検査フィールドを抽出するように、またユーザ装置のグループに共通な識別子を使用して巡回冗長検査を実行するように動作可能である。
【００３９】
一実施形態においては、復号ロジックと決定ロジックとは、ＨＳ−ＳＣＣＨ命令が関連づけられる、ユーザ装置のグループを示すＨＳ−ＳＣＣＨ命令のヘッダ・フィールドの中の表示を識別するように動作可能である。
【００４０】
一実施形態においては、復号ロジックと決定ロジックとは、ＨＳ−ＳＣＣＨ命令がユーザ装置のグループに関連づけられることを示す、ＨＳ−ＳＣＣＨ命令のヘッダ・フィールドの中のインジケータを識別するように、ＨＳ−ＳＣＣＨ命令から巡回冗長検査フィールドを抽出するように、またユーザ装置のグループに共通な識別子を使用して巡回冗長検査を実行するように動作可能である。
【００４１】
一実施形態においては、ユーザ装置は、ランダムなオフセットと、固定されたオフセットと、固有の識別子から導き出されるオフセットとのうちの少なくとも１つに依存した時間オフセットにおいて肯定応答を基地局に対して送信するように動作可能な送信ロジックを備える。
【００４２】
第５の態様によれば、コンピュータの上で実行されるときに、第１の態様の方法ステップを実行するように動作可能なコンピュータ・プログラム・プロダクトが、提供されている。
【００４３】
第６の態様によれば、コンピュータの上で実行されるときに、第３の態様の方法ステップを実行するように動作可能なコンピュータ・プログラム・プロダクトが、提供されている。
【００４４】
さらなる特定の、また好ましい態様は、添付の独立請求項および従属請求項において詳細に説明される。従属請求項の特徴は、必要に応じて独立請求項の特徴と組み合わされ、また特許請求の範囲において明示的に詳細に説明されるこれらの特徴以外のものと組み合わされることが可能である。
【００４５】
本発明の実施形態は、次に、添付図面を参照してさらに説明されるであろう。
【図面の簡単な説明】
【００４６】
【図１】一実施形態によるワイヤレス電気通信システム１０を示す図である。
【図２】ＨＳ−ＳＣＣＨ命令を受信するときのユーザ装置の一般的なオペレーションを示す図である。
【図３】ＨＳ−ＳＣＣＨ命令の巡回冗長検査を示す図である。
【図４】基地局とユーザ装置との間のＨＳ−ＳＣＣＨ命令とＨＳ−ＤＰＣＣＨ肯定応答との伝送を示す図である。
【発明を実施するための形態】
【００４７】
図１は、一実施形態によるワイヤレス電気通信システム１０を示すものである。ユーザ装置５０は、ワイヤレス電気通信システムを通してローミングする。無線カバレッジ３０のエリアをサポートする基地局２０が、提供される。いくつかのそのような基地局２０は、ユーザ装置５０に対するカバレッジの広いエリアを提供するために、提供され、また地理的に分散される。ユーザ装置が、基地局によってサービスされるエリア３０の内部にあるときに、関連する無線リンクの上でユーザ装置と基地局との間で、通信が確立されることが可能である。各基地局は、一般的に、サービスの地理的エリア３０の内部でいくつかのセクタをサポートする。
【００４８】
一般的に、基地局の内部の異なるアンテナは、各関連するセクタをサポートする。それに応じて、各基地局２０は、複数のアンテナを有しており、また異なるアンテナを通して送信される信号は、セクタ化されたアプローチを提供するように電子的に重みが付けられる。もちろん、図１は、典型的な通信システムの中に存在することができるユーザ装置と基地局との総数のうちの小さなサブセットを示していることが理解されるであろう。
【００４９】
ワイヤレス通信システムの無線アクセス・ネットワークは、無線ネットワーク制御装置（ＲＮＣ）４０によって管理される。無線ネットワーク制御装置４０は、バックホール通信リンク６０の上で複数の基地局と通信することによりワイヤレス通信システムのオペレーションを制御する。ネットワーク制御装置はまた、各基地局を経由してユーザ装置５０と通信する。
【００５０】
無線ネットワーク制御装置４０は、基地局２０によってサポートされる複数のセクタの間の地理的関係についての情報を含む近隣リストを保持する。さらに、無線ネットワーク制御装置４０は、ワイヤレス通信システム１０の内部のユーザ装置５０のロケーションについての情報を提供するロケーション情報を保持する。無線ネットワーク制御装置は、回路交換網とパケット交換網とを経由してトラフィックをルーティングするように動作可能である。それゆえに、無線ネットワーク制御装置が通信することができるモバイル交換局が、提供される。モバイル交換局は、公衆交換電話網（ｐｕｂｌｉｃ  ｓｗｉｔｃｈｅｄ  ｔｅｌｅｐｈｏｎｅ  ｎｅｔｗｏｒｋ）（ＰＳＴＮ）７０などの回路交換網と通信することができる。同様に、ネットワーク制御装置は、サービス汎用パッケージ無線サービス・サポート・ノード（ｓｅｒｖｉｃｅ  ｇｅｎｅｒａｌ  ｐａｃｋａｇｅ  ｒａｄｉｏ  ｓｅｒｖｉｃｅ  ｓｕｐｐｏｒｔ  ｎｏｄｅｓ）（ＳＧＳＮ）およびゲートウェイ汎用パケット・サポート・ノード（ｇａｔｅｗａｙ  ｇｅｎｅｒａｌ  ｐａｃｋｅｔ  ｓｕｐｐｏｒｔ  ｎｏｄｅ）（ＧＧＳＮ）と通信することができる。ＧＧＳＮは、例えば、インターネットなどのパケット交換コア（ｐａｃｋｅｔ  ｓｗｉｔｃｈｅｄ  ｃｏｒｅ）と通信することができる。
【００５１】
ユーザ装置５０は、一般的に情報およびデータを基地局２０に対して送信し、その結果、それは、ワイヤレス電気通信ネットワークの内部で再びルーティングされることが可能になる。ユーザ装置は、例えば、テキスト・メッセージ、ユーザがその装置を使用して、電話の通話を行っているときの音声情報、または他のデータを中継するために、基地局に対してデータを送信する必要がある可能性がある。基地局２０は、無線ネットワーク制御装置４０によって設定されるパラメータと組み合わせて、ワイヤレス電気通信ネットワーク１０のオペレーションを最適にすることを目指すようにして、ユーザ装置にリソースを割り付ける。
【００５２】
ユニバーサル・モバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）（ＵＭＴＳ）において、マルチ・セル高速ダウンリンク・パケット・アクセス（Ｍｕｌｔｉ−Ｃｅｌｌ  Ｈｉｇｈ  Ｓｐｅｅｄ  Ｄｏｗｎｌｉｎｋ  Ｐａｃｋｅｔ  Ａｃｃｅｓｓ）（ＭＣ−ＨＳＤＰＡ）構成が提供される。ＭＣ−ＨＳＤＰＡにおいては、セクタは、基地局またはノードＢの地理的カバレッジ・エリアとして定義される。セクタは、いくつかのセルから成ることができ、ここでは、各セルは、同じ地理的カバレッジをセクタとして対象とすることを目指しており、またその送信のために別個の周波数キャリアを使用する。周波数キャリアは、同じ周波数帯域の内部にあるか、または２つの周波数帯域の上で分散されることが可能である。ＭＣ−ＨＳＤＰＡは、デュアル・セル高速ダウンリンク・パケット・アクセス（Ｄｕａｌ  Ｃｅｌｌ  Ｈｉｇｈ  Ｓｐｅｅｄ  Ｄｏｗｎｌｉｎｋ  Ｐａｃｋｅｔ  Ａｃｃｅｓｓ）（ＤＣ−ＨＳＤＰＡ）に対する拡張である。ＭＣ−ＨＳＤＰＡにおいては、ユーザ装置は、４つの異なるセルから４つまでの同時ダウンリンク送信を受信することができる。それゆえに、ＭＣ−ＨＳＤＰＡは、場合によっては、ＤＣ−ＨＳＤＰＡと（単一セル）ＨＳＤＰＡとのダウンリンク・スループットをそれぞれ二倍にし、また四倍にすることができる。ユーザ装置が、４つのセルまたは３つのセルからそれぞれ同時送信を受信するときに、ＭＣ−ＨＳＤＰＡはまた、時には、４Ｃ−ＨＳＤＰＡ（４セルＨＳＤＰＡ）または３Ｃ−ＨＳＤＰＡと称されることもある。
【００５３】
マルチ・キャリア・システムにおいては、各キャリアは、基地局からユーザ装置への独立したダウンリンク無線リンクを有することになる。各キャリアは、ユーザ装置に対して異なる無線伝搬経路を有する可能性が高いことになるので、これらのダウンリンク無線リンクは、独立に管理される。マルチ・キャリア・モードで動作することができるＨＳＤＰＡシステムでは、２つよりも多いダウンリンク・キャリアが、提供される可能性がある。マルチ・キャリア・ネットワークにおいては、ダウンリンク・キャリアの数は、アップリンク・キャリアの数とマッチしない可能性があることが理解されよう。さらに、提供されるダウンリンク・キャリアの数は、提供されるアップリンク・キャリアの数のちょうど２倍でない可能性もある。ＨＳＤＰＡマルチ・キャリア・モードにおいては、基地局によってサービスされる各セクタは、いくつかのキャリア周波数、またはそれに関連する「キャリア」を有することができる。キャリア、またはキャリアによってサポートされるセルは、セクタとして同じ地理的領域を対象として含んでいる。各セルは、異なるキャリア周波数によってサービスされる。したがって、単一キャリア・システムにおいては、セクタが、ただ１つのセルまたはキャリア周波数を有するだけなので、セルは、セクタと同等であることが、理解されるであろう。それにもかかわらず、マルチ・キャリア・ネットワークにおいては、各セクタは、各セルが、異なるキャリア周波数によって同時にサービスされているいくつかのセルを備えることができる。
【００５４】
ユーザ装置は、アイドリング・モードに、または無線リソース制御（Ｒａｄｉｏ  Ｒｅｓｏｕｒｃｅ  Ｃｏｎｔｒｏｌ）（ＲＲＣ）接続モードにあることが可能である。セル＿ＤＣＨ状態は、ユーザ装置が、高データ・スループットで送信し、また受信することができるというＲＲＣ接続モードの内部の状態のうちの１つである。ＭＣ−ＨＳＤＰＡ機能は、セル＿ＤＣＨ状態で動作し、この場合に、この状態では、ユーザ装置とノードＢとは、アップリンクとダウンリンクとにおいて物理レイヤ同期化を維持する。ＨＳ−ＤＳＣＨ無線ネットワーク・トランザクション識別子（Ｈ−ＲＮＴＩ）は、ＨＳＤＰＡにおいて動作するユーザ装置のための固有の識別子であり、またそれは、セル＿ＤＣＨ状態における各ユーザ装置に固有である。
【００５５】
さらに、基地局によってサポートされているユーザ装置のすべてまたは１つのグループに共通な、二次的なＨ−ＲＮＴＩが、割り付けられる。ＨＳ−ＤＳＣＨを経由して共通の制御信号を送信するための、拡張されたセル＿ＦＡＣＨ状態およびセル＿ＰＣＨ状態において使用される二次的なＨ−ＲＮＴＩは、この目的のために利用されることが可能であり、二次的なＨ−ＲＮＴＩのこの組は、システム情報ブロードキャスト（Ｓｙｓｔｅｍ  Ｉｎｆｏｒｍａｔｉｏｎ  Ｂｒｏａｄｃａｓｔ）（ＳＩＢ）５および５ビットでブロードキャストされている。代わりに、二次的なＨ−ＲＮＴＩの組は、この目的のために基地局によって具体的に割り付けられることも可能である。二次的なＨ−ＲＮＴＩを具体的に割り付けることは、基地局により多くの制御を提供して、以下でより詳細に説明されるようにユーザ装置によって生成される同時肯定応答メッセージの数を低減させるようにグループのサイズを制限する。
【００５６】
ＭＣ−ＨＳＤＰＡにおいては、一次キャリアは、絶対に必要な制御チャネルを搬送するセルであり、それは、非アクティブにされることが可能ではない。ただ１つの一次キャリアが存在しており、また他のセルは、二次キャリア（例えば、二次キャリア１、二次キャリア２、および二次キャリア３）と呼ばれる。ユーザ装置は、一次キャリア無線リンクが、失敗する場合には、たとえ二次キャリアが、完全に機能しているとしても（例えば、それらが軽い負荷をかけられている場合、またはそれらがよりよい無線チャネルを有する場合）、無線リンクの失敗を宣言することになる。それらの二次キャリアは、自然の無線リンクの冗長度を提供するが、これらの冗長度は、利用されることが可能ではない。
【００５７】
キャリアの制御は、ＨＳ−ＳＣＣＨ（高速共用制御チャネル）命令を使用して実行されることが可能である。ＨＳ−ＳＣＣＨ命令は、サポートする基地局から高速コマンド／命令が行われることを可能にするユーザ装置へのレイヤ１の信号である。二次キャリアの非アクティブ化／アクティブ化とは別に、ＨＳ−ＳＣＣＨ命令を使用して、不連続な送信および受信をオンにすることもできる。
【００５８】
実施形態は、多数のユーザ装置の高速な再構成が、修正されたＨＳ−ＳＣＣＨ命令を利用することにより行われることを可能にする一技法を提供している。例えば、基地局が、セルの中のユーザ装置の大きなグループを非アクティブにすることを、またはアクティブにすることを必要とする場合のシナリオが存在している。例えば、基地局が、干渉の制御またはエネルギーの節約の目的のために、ユーザ装置の１つのグループ、またはすべてのために、特定の二次キャリアを非アクティブにすることができる場合には、それは有益である。エネルギーの節約においては、低トラフィック状態に起因して、基地局は、以下でより詳細に説明されるように、そのキャリアのうちの１つをオフにしようと、またそのためにセルの中のすべてのユーザ装置のための二次キャリアを非アクティブにしようと望む可能性がある。
【００５９】
図２は、ＨＳ−ＳＣＣＨ命令を受信するときのユーザ装置の一般的なオペレーションを示すものである。図２に示される例においては、ＨＳ−ＳＣＣＨ命令は、対応する高速ダウンリンク共用チャネル（Ｈｉｇｈ  Ｓｐｅｅｄ  Ｄｏｗｎｌｉｎｋ  Ｓｈａｒｅｄ  Ｃｈａｎｎｅｌ）（ＨＳ−ＤＳＣＨ）を復号するために必要とされる情報を含んでおり、またはユーザ装置のための命令を含んでいる。ＨＳ−ＳＣＣＨ命令が送信されるときには、それは、図２に示されるように、２スロット分先行して送信され、そこでは第１のスロットは、その情報を含んでおり、その結果、ユーザ装置は、２スロット分後にＨＳ−ＤＳＣＨを復号することを開始することができるようになる。これは、それゆえに、ユーザ装置が、それ自体を再構成するための１つのスロット（スロット２）を与える。
【００６０】
図２に示されるように、ＨＳ−ＳＣＣＨ命令１０５は、３つの主要なフィールドを備える（他のフィールドは、明確さを改善するために省略されている）。これらの３つの主要なフィールドは、ヘッダ・フィールド１００、ペイロード・フィールド１１０、および巡回冗長検査フィールド１２０である。巡回冗長検査は、ユーザ装置において、エラー検出のためにＨＳ−ＳＣＣＨ命令に対して適用され、また一般的に、そのユーザ装置によって実行される巡回冗長検査だけが合格することを保証するために、ユーザ装置に固有のＨ−ＲＮＴＩを用いてマスクされる。
【００６１】
図２に示されるように、少なくとも３つの異なる修正された形式のＨＳ−ＳＣＣＨ命令１０５Ａ〜１０５Ｃが、基地局によって送信されることが可能であり、これらの修正された形式のＨＳ−ＳＣＣＨ命令は、それらが、複数のユーザ装置によって受信されるように意図されるので、ブロードキャスト命令、またはマルチキャスト命令であるように考えられることが可能である。類似したユニキャスト形式のこれらの命令は、以下でより詳細に説明されるように、マルチキャスト命令に肯定応答することに失敗するこれらのユーザ装置のために利用されることが可能である。
【００６２】
第１の形式のＨＳ−ＳＣＣＨ命令１０５Ａにおいては、標準のヘッダ・フィールド１００が、指定されたグループの内部のユーザ装置によって行われるべき共通再構成を符号化する６ビットの命令フィールド１１０Ａと一緒に、利用される。巡回冗長検査フィールド１２０Ａは、その後に図３に示されるようなグループの内部のすべてのユーザ装置に共通な二次的なＨ−ＲＮＴＩ（１６ビット）を用いてマスクされる従来の巡回冗長検査（１６ビット）を含んでいる。
【００６３】
第２の形式のＨＳ−ＳＣＣＨ命令１０５Ｂにおいては、ヘッダは、ＨＳ−ＳＣＣＨ命令が、ユーザ装置のグループによる受信のために用いられる予定である修正されたＨＳ−ＳＣＣＨ命令であることを示す修正されたヘッダ１００Ｂである。修正されたヘッダ・フィールド１００Ｂはまた、命令が用いられる予定であるグループの表示を含んでいる。一般的に、グループ・インジケータは、その共通のＨ−ＲＮＴＩから基地局とユーザ装置との両方によって導き出すことが可能である二次的なＨ−ＲＮＴＩの符号化された表現になる。この場合にも、命令は、上記で述べられる命令と同じであるが、巡回冗長検査は、どのようなＨ−ＲＮＴＩマスキングもない標準の巡回冗長検査である。
【００６４】
第３の形式のＨＳ−ＳＣＣＨ命令１０５Ｃにおいては、メッセージが、マルチキャストＨＳ−ＳＣＣＨ命令であることを示す、さらなる修正されたヘッダ・フィールド１００Ｃが、使用される。命令フィールド１１０Ａは、上記で説明される２つのメッセージと同一であるが、巡回冗長検査フィールド１２０Ａは、二次的なＨ−ＲＮＴＩを用いてマスクされる巡回冗長検査を含んでいる。
【００６５】
それゆえに、第１の形式のＨＳ−ＳＣＣＨ命令１０５Ａを用いて、ユーザ装置は、メッセージの受信をするとすぐに、図３に示されるように、その固有のＨ−ＲＮＴＩを使用してＨＳ−ＳＣＣＨ命令に標準の処理を実行することになる。マスクされたＣＲＣとＨ−ＲＮＴＩとは、巡回冗長検査フィールド１２０Ａから取り除かれ、またそれは、固有のＨ−ＲＮＴＩを用いてマスクされて（マスクされないで）、巡回冗長検査ビットを抽出する。次いで、巡回冗長検査ビットは、エラー検出のために復号される。別のユーザ装置（すなわち、ターゲット・ユーザ装置）のために用いられる予定である、異なる固有のＨ−ＲＮＴＩを使用して、基地局において巡回冗長検査をマスクするので、ＨＳ−ＳＣＣＨが、ユーザ装置のために用いられる予定でない場合には、エラーが、起きることになる。たとえ正しいＨ−ＲＮＴＩが、ＨＳ−ＳＣＣＨ命令の中の本物のエラーに起因して使用されるとしても、ＨＳ−ＳＣＣＨが巡回冗長検査の復号化に失敗することもまた、可能である。ユーザは、それらがエラーを含むので、巡回冗長検査の復号化に失敗するどのようなＨＳ−ＳＣＣＨ命令も切り捨てることになる。しかしながら、巡回冗長検査が失敗する場合、そこでの処理を単に停止するのではなく、ユーザ装置は、次いで二次的なＨ−ＲＮＴＩを使用して巡回冗長検査を再実行することになる。巡回冗長検査が合格する場合、そのときにはユーザ装置は、マルチキャストＨＳ−ＳＣＣＨ命令について修正された復号化を使用して命令フィールド１１０Ａを復号することになる。任意の適切な符号化技法が、利用されて、上記で述べられた無線インターフェースの再構成のための必要とされる情報を符号化することができることが、理解されるであろう。
【００６６】
しかしながら、第１の形式のＨＳ−ＳＣＣＨ命令１０５Ａの復号化に伴う問題は、巡回冗長検査が、２回にわたって実行される必要があることであることが、理解されるであろう。したがって、第２の形式のＨＳ−ＳＣＣＨ命令１０５Ｂにおいては、ヘッダ・フィールド１００Ｂは、メッセージが、マルチキャストＨＳ−ＳＣＣＨ命令であり、その命令が用いられる予定であるグループの表示を提供することを示す構成になっている。表示が、ユーザ装置が属するグループにマッチすることを仮定すると、そのときにはユーザ装置は、その固有のＨ−ＲＮＴＩを使用せずに、巡回冗長検査を実行することになる。巡回冗長検査が合格することを仮定すると、そのときにはユーザ装置は、命令フィールドを復号し、また要求された再構成を実装することになる。
【００６７】
同様に、第３の形式のＨＳ−ＳＣＣＨ命令１０５Ｃを用いて、ユーザ装置は、メッセージが、マルチキャストＨＳ−ＳＣＣＨ命令であり、またその二次的なＨ−ＲＮＴＩを使用してその巡回冗長検査を直接に実行することになることを修正されたヘッダ・フィールド１００Ｃから導き出すことができる。これは、固有のＨ−ＲＮＴＩを最初に使用して巡回冗長検査を実行すべき必要性を回避させ、またそのプロセスを高速化する。巡回冗長検査が合格することを仮定すると、そのときにはユーザ装置は、命令フィールドを復号し、また要求された再構成を実行することになる。
【００６８】
基地局は、ＨＳ−ＳＣＣＨ命令１０５Ａ〜１０５Ｃをその命令がグループの内部のすべてのユーザ装置に到達することになるのに十分に高いパワーで送信しようと試みることになる。ＨＳ−ＳＣＣＨ命令は、最大の許容パワーで、または最も貧弱な無線状態を有するユーザ装置にも到達する（すなわち、最も遠く離れている、または最大レベルの信号減衰を有するユーザ装置にも到達する）ことになるパワーで、送信されることが可能である。ＨＳ−ＳＣＣＨ命令１０５Ａ〜１０５Ｃの信頼性は、すべての構成されたキャリアの上で送信されることにより、さらに改善されることが可能である。次いで、異なるキャリアからの受信されたＨＳ−ＳＣＣＨ命令は、ユーザ装置においてベース・バンド・レベルでソフト結合されることが可能である。それゆえに、複数のアクティブなキャリアを有するこれらのユーザ装置は、複数のキャリアの上で同じＨＳ−ＳＣＣＨ命令を受信することにより追加の信頼性を獲得することになる。
【００６９】
セル＿ＤＣＨ状態にあるときに、ＨＳ−ＳＣＣＨ命令は、高速専用物理制御チャネル（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）（ＨＳ−ＤＰＣＣＨ）フィードバック・チャネルを使用してユーザ装置によって肯定応答される。それに応じて、大きなグループのユーザ装置に送信されるＨＳ−ＳＣＣＨ命令は、ＨＳ−ＤＰＣＣＨの上で肯定応答の多数の同時送信をトリガすることができる。これは、基地局において過負荷または干渉を引き起こす可能性がある。それゆえに、どの時点においても、基地局において受信される肯定応答の数を低減させるために、ＨＳ−ＳＣＣＨ命令は、異なる時点に異なるグループのユーザ装置に対してブロードキャストされ、その結果、各グループからのフィードバックは、異なる時点に基地局に到達するようになる。各グループのサイズは、基地局が、これらのユーザ装置からの可能性のある同時肯定応答を取り扱うことができ、またこのサイズが、二次的なＨ−ＲＮＴＩの割付けを制御することにより制御されることが可能になるように選択される。すべての４つのキャリアがアクティブな４０台のユーザ装置を有する４Ｃ−ＨＳＤＰＡセクタの一例を考えてみよう。それらのキャリアは、Ｃ１、Ｃ２、Ｃ３およびＣ４として名前が付けられる。Ｃ１は、一次キャリアであり、それゆえに非アクティブにされることはできない。４つの二次的なＨ−ＲＮＴＩが、１０台以下のユーザ装置に各グループのサイズを制限するように割り付けられている。専用のユーザ装置と二次的なＨ−ＲＮＴＩとが、以下の表のように割り付けられる。
【００７０】
【表１】
0005450896.tif 000002
【００７１】
次に、キャリアＣ１とＣ４とが、過負荷をかけられることを仮定する。基地局は、以下の表のように、ユーザ装置の半分のためにキャリアＣ２を非アクティブにするように、またユーザ装置の残りの半分のためにキャリアＣ４を非アクティブにするように決定する。
【００７２】
【表２】
0005450896.tif 000003
【００７３】
基地局は、それゆえに、以下の構成を有する４つの別個のＨＳ−ＳＣＣＨマルチキャスト命令を送信する。
【００７４】
【表３】
0005450896.tif 000004
【００７５】
多数の同時ＨＳ−ＤＰＣＣＨ肯定応答メッセージを受信することを回避するために、基地局は、ＨＳ−ＳＣＣＨ命令１と、ＨＳ−ＳＣＣＨ命令３とを一緒に送信し、また次いで、５つの時間間隔の後に、ＨＳ−ＳＣＣＨ命令２と、ＨＳ−ＳＣＣＨ命令４とを一緒に送信する。これは、図４において、より詳細に示されている。
【００７６】
ユーザ装置からの同時ＨＳ−ＤＰＣＣＨ肯定応答の送信の数をさらに低減させるために、グループの中の各ユーザ装置は、異なる時点にそのＨＳ−ＤＰＣＣＨ肯定応答を送信することができる。それに応じて、各ユーザ装置は、ランダム数量、互い違いの数量、あらかじめ決定されたオフセット数量に基づいて、またはユーザ装置の識別子に基づいて、そのＨＳ−ＤＰＣＣＨ肯定応答を送信することができる。一実施形態においては、オフセットは、次式のような専用のＨ−ＲＮＴＩに基づいて決定され、
ＨＳ−ＤＰＣＣＨ＿ＴＴＩ＝専用のＨ−ＲＮＴＩ  ＭＯＤ  Ｋ
式中で、ＨＳ−ＤＰＣＣＨ＿ＴＴＩは、ＨＳ−ＤＰＣＣＨ肯定応答を送信する前の送信時間間隔における遅延の量であり、またＫは、基地局によって提供されるある数である（この数が、大きくなればなるほど、すべての肯定応答が、基地局に到達するのにかかることになる時間が長くなり、またそれゆえに、この数は、すべての肯定応答を受信することを遅延させるべき必要性と、基地局が取り扱うことができる同時肯定応答の数とをバランスさせるはずである）。
【００７７】
上記で述べられた例においては、２つのＨＳ−ＳＣＣＨマルチキャスト命令が、各試みにおいて２０台のユーザ装置に対して送信されている。２０台のユーザ装置からの同時ＨＳ−ＤＰＣＣＨ肯定応答は、依然として基地局において許容可能でない可能性がある。同時肯定応答の数をさらに低減させるために、ＨＳ−ＤＰＣＣＨ肯定応答は、Ｋ＝５の場合の上記式を使用して異なる時点に送信される。この構成を使用して、ユーザ装置１から１０のためにＨＳ−ＤＰＣＣＨ肯定応答を送信する前に遅延させるべき送信時間間隔の数が、以下の表に示されている。
【００７８】
【表４】
0005450896.tif 000005
【００７９】
この例においては、ユーザ装置５および１０は、すぐさまＨＳ−ＤＰＣＣＨ肯定応答を送信することになり、１つの送信時間間隔だけあとでユーザ装置１および６によって続けられる。同様な計算が、他のグループのユーザ装置のために実行されることが可能である。このようにして、基地局は、図４において、より詳細に示されるように、一度に４つのＨＳ−ＤＰＣＣＨ肯定応答だけを受信する。
【００８０】
ひとたびユーザ装置が、ＨＳ−ＤＰＣＣＨ肯定応答を送信した後に、ユーザ装置は、命令を実行し、またその無線インターフェースを再構成することができる。
【００８１】
基地局は、各ユーザ装置からの肯定応答を監視することになる。ＨＳ−ＳＣＣＨマルチキャスト命令をし損ねたこれらのユーザ装置（これは、基地局において肯定応答をし損ねることによって決定される）では、基地局は、特定のユーザ装置に対して専用のＨＳ−ＳＣＣＨ命令を再送信し（肯定応答に失敗するユーザ装置の数が、小さい場合）、またはＨＳ−ＳＣＣＨマルチキャスト命令を再送信する（肯定応答することに失敗するユーザ装置の数が、大きい場合）ことができる。
【００８２】
この例においては、ユーザ装置２７は、ＨＳ−ＳＣＣＨ命令３を復号することに失敗しており、またそれゆえに、命令を受信してはいない。ただ１つのユーザ装置が、命令を受信することに失敗しているので、基地局は、専用のＨＳ−ＳＣＣＨ命令をユーザ装置２７に対して送信して、キャリアＣ４を非アクティブにする。第２の試みにおいては、ユーザ装置２７は、命令を受信し、またＨＳ−ＤＰＣＣＨフィードバック・チャネルを経由して肯定応答を返信する。
【００８３】
したがって、４０個の個別のＨＳ−ＳＣＣＨ命令を送信してユーザ装置を再構成する必要があるのではなくて、４つのマルチキャストＨＳ−ＳＣＣＨ命令だけが、送信される必要があることが分かる。
【００８４】
それゆえに、基地局が、個別の命令を各ユーザ装置に対して送信するのではなくて、ユーザ装置のグループに対してＨＳ−ＳＣＣＨ命令を送信することができる一技法が、提供される。これは、ユーザ装置のグループを再構成するために必要とされる命令の数量を低減させる。これは、基地局が、例えば、負荷バランシングまたはエネルギー節約の目的のためにユーザ装置のグループのためにキャリアをアクティブにし、または非アクティブにする必要があるときに、特に有用である。
【００８５】
当業者なら、様々な上記に説明された方法のステップが、プログラムされたコンピュータによって実行され得ることを簡単に認識するであろう。本明細書においては、いくつかの実施形態はまた、プログラム・ストレージ・デバイス、例えば、デジタル・データ・ストレージ媒体を対象として含むようにも意図されており、このプログラム・ストレージ・デバイスは、マシン読取り可能、またはコンピュータ読取り可能であり、また命令のマシン実行可能なプログラム、またはコンピュータ実行可能なプログラムを符号化しており、そこでは前記命令は、前記上記で説明された方法のステップの一部または全部を実行する。プログラム・ストレージ・デバイスは、例えば、デジタル・メモリ、磁気ディスクや磁気テープなどの磁気ストレージ媒体、ハード・ドライブ、または光学的に読取り可能なデジタル・データ・ストレージ媒体とすることができる。それらの実施形態はまた、上記で説明された方法の前記ステップを実行するようにプログラムされるコンピュータを対象として含むようにも意図される。
【００８６】
「プロセッサ」または「ロジック」としてラベル付けされた任意の機能ブロックを含めて、図面の中に示される様々な要素についての機能は、専用のハードウェア、ならびに適切なソフトウェアと関連づけてソフトウェアを実行することができるハードウェアの使用を通して提供されることが可能である。プロセッサによって提供されるときに、それらの機能は、単一の専用のプロセッサによって、単一の共用のプロセッサによって、またはそれらのうちのいくつかが共用され得る複数の個別のプロセッサによって提供されることが可能である。さらに、「プロセッサ」または「コントローラ」、あるいは「ロジック」という用語の明示的な使用は、ソフトウェアを実行することができるハードウェアだけを排他的に意味するように解釈されるべきではなく、また限定することなく、デジタル信号プロセッサ（ｄｉｇｉｔａｌ  ｓｉｇｎａｌ  ｐｒｏｃｅｓｓｏｒ）（ＤＳＰ）のハードウェアと、ネットワーク・プロセッサと、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ）（ＡＳＩＣ）と、フィールド・プログラマブル・ゲート・アレイ（ｆｉｅｌｄ  ｐｒｏｇｒａｍｍａｂｌｅ  ｇａｔｅ  ａｒｒａｙ）（ＦＰＧＡ）と、ソフトウェアを記憶するためのリード・オンリー・メモリ（ｒｅａｄ  ｏｎｌｙ  ｍｅｍｏｒｙ）（ＲＯＭ）と、ランダム・アクセス・メモリ（ｒａｎｄｏｍ  ａｃｃｅｓｓ  ｍｅｍｏｒｙ）（ＲＡＭ）と、不揮発性ストレージとを暗黙のうちに含むことができる。他のハードウェアが、従来および／またはカスタムもまた、含められることも可能である。同様に、図面の中に示される任意のスイッチは、概念的なものにすぎない。それらの機能は、プログラム・ロジックのオペレーションを通して、専用のロジックを通して、プログラム制御と専用のロジックとの相互作用を通して、または手動によってさえも実行されることが可能であり、特定の技法は、文脈からもっと具体的に理解されるように、実装者によって選択可能である。
【００８７】
本明細書における任意のブロック図は、本発明の原理を実施する実例となる回路の概念図を表すことが、当業者によって理解されるべきである。同様に、任意のフロー・チャートと、流れ図と、状態遷移図と、擬似コードなどとは、コンピュータ読取り可能媒体の形で実質的に表され、またそのようにしてコンピュータまたはプロセッサによって、そのようなコンピュータまたはプロセッサが明示的に示されているか否かにかかわらず、実行され得る様々なプロセスを表すことが、理解されるであろう。
【００８８】
説明および図面は、単に本発明の原理を示しているにすぎない。したがって、当業者は、本明細書において明示的に説明されても、または示されてもいないけれど、本発明の原理を実施し、また本発明の精神および範囲の内部に含まれる様々な構成を工夫することができるようになることが理解されるであろう。さらに、本明細書において列挙されるすべての例は、主として、本発明者（単数または複数）が当技術を推進することに寄与している本発明の原理および概念を理解するに際して、読者を支援する教育上の目的のためにすぎないように明示的に意図され、またそのように具体的に列挙された例および状態だけに限定することのないように解釈されるべきである。さらに、本発明の原理、態様および実施形態を列挙している本明細書におけるすべての記述、ならびにその特定の例は、その同等物を包含するように意図されている。
【図１】
0005450896.tif 000006
【図２】
0005450896.tif 000007
【図３】
0005450896.tif 000008
【図４】
0005450896.tif 000009